(57)【要約】      （修正有）【課題】伸縮性及び耐久性に優れたウェットスーツを提供する。【解決手段】基布材部と基布材部の厚さ方向両側に配設固定された一対の表面側布材部とを備えた一般被覆材部１１ａを有する被覆材１１により形成されたウェットスーツ１０において、外側に配設される表面側布材部が内側に配設される表面側布材部よりも繊維密度の高い素材により構成された強化被覆材部１１ｂが臀部、肩部、一対の腕部外側の肘部から下腕部に亘って、又は一対の脚部正面側の膝部から足首部に亘って設けられている。【選択図】図１
0003202710.tif 000002
【実用新案登録請求の範囲】
【請求項１】
基布材部と前記基布材部の厚さ方向両側に配設固定された一対の表面側布材部とを備えた被覆材により形成されたウェットスーツにおいて、
前記被覆材には、外側に配設される前記表面側布材部は内側に配設される前記表面側布材部よりも繊維密度の高い素材により構成された強化被覆材部が設けられていることを特徴とするウェットスーツ。
【請求項２】
前記強化被覆材部は、臀部相当部に設けられていることを特徴とする請求項１記載のウェットスーツ。
【請求項３】
前記強化被覆材部は、肩部相当部に設けられていることを特徴とする請求項１記載のウェットスーツ。
【請求項４】
前記強化被覆材部は、一対の腕部相当部の外側において、肘部相当部から下腕部相当部に亘って設けられていることを特徴とする請求項１記載のウェットスーツ。
【請求項５】
前記強化被覆材部は、一対の脚部相当部の正面側において、膝部相当部から足首相当部に亘って設けられていることを特徴とする請求項１記載のウェットスーツ。
【考案の詳細な説明】
【技術分野】
【０００１】
本考案は、保護スーツに係り、特にウェットスーツに関するものである。
【背景技術】
【０００２】
従来より、保護スーツは、スクーバダイビング、サーフィン、ウィンドサーフィン、ヨット、釣り、水上オートバイ等のウォータースポーツ、又は、レスキュー・サルベージ、海上建築物上での作業等の職業的な水中・水上活動において、身体を体温損失や外傷、有害生物等から保護するために用いられている。
保護スーツのうち、スーツ内部に水が浸入するものをウェットスーツ、水が浸入しないものをドライスーツという。
【０００３】
一般に、ウェットスーツは、ネオプレン、クロロプレン、その他スポンジ状の発泡性ゴムからなる薄板を基材とし、その表裏両面の表面にナイロン等の伸縮性を備えた布を一体化させた生地を用いて構成されている。このような構成を採用することで、ウェットスーツの着用者の動きやすさや身体へのフィット性が向上すると共に、ウェットスーツの模様や色彩の自由度を高めることが可能となっている。
しかしながら、表面を被覆する布は伸縮性が高い反面、外部の物に触れると磨耗したり、裂損したりするといった不具合があった。特に、岩場に腰掛けた場合に臀部表面が傷つくといった事態や酸素ボンベを背負った場合に肩部表面が傷つくといった事態を生じていた。
【０００４】
前記不具合を解消するために、例えば、特許文献１には、岩石その他による膝、肘の怪我を防止するために、ウェットスーツ用基材に合成樹脂よりなる補強層を一体に形成してなるウェットスーツ用のひざ当て、ひじ当てが開示されている。
また、特許文献２には、酸素ボンベや潜水用のバランスウェイトを取り付ける部位に補強材を別途取り付ける不便を解消するために、肩部、腰部、膝部、或いは、肘部の生地の外側面に更にネオプレンゴム等のゴム薄膜を一体的にラミネートしたウェットスーツが開示されている。
【０００５】
しかしながら、特許文献１又は２においては、堅い合成樹脂やゴム薄膜により補強をしているため、補強箇所が他の部位に比べて耐久性に優れる一方で伸縮性に劣る不具合があった。また、その補強箇所は、堅い合成樹脂やゴム薄膜の補強素材が外方へ露出しているため、外観品質が低下するという不具合もあった。
【特許文献１】実開平１−１８１１７号公報
【特許文献２】実開昭５８−１７１７９５号公報
【考案の開示】
【考案が解決しようとする課題】
【０００６】
本考案は、以上のような従来からの不具合を解消するためのものであって、その課題は、伸縮性及び耐久性に優れたウェットスーツを提供することにある。
【課題を解決するための手段】
【０００７】
前記課題を解決するために、請求項１に記載の考案にあっては、基布材部と前記基布材部の厚さ方向両側に配設固定された一対の表面側布材部とを備えた被覆材により形成されたウェットスーツにおいて、前記被覆材には、外側に配設される前記表面側布材部は内側に配設される前記表面側布材部よりも繊維密度の高い素材により構成された強化被覆材部が設けられていることを特徴とする。
【０００８】
従って、前記ウェットスーツの所定の部位は、外側の表面側布材部に内側の表面側布材部よりも繊維密度の高い素材が配設された強化被覆材部によって形成される。
【０００９】
請求項２に記載の考案にあっては、前記強化被覆材部は、臀部相当部に設けられていることを特徴とする。
【００１０】
請求項３に記載の考案にあっては、前記強化被覆材部は、肩部相当部に設けられていることを特徴とする。
【００１１】
請求項４に記載の考案にあっては、前記強化被覆材部は、一対の腕部相当部の外側において、肘部相当部から下腕部相当部に亘って設けられていることを特徴とする。
【００１２】
請求項５に記載の考案にあっては、前記強化被覆材部は、一対の脚部相当部の正面側において、膝部相当部から足首相当部に亘って設けられていることを特徴とする。
【考案の効果】
【００１３】
請求項１〜５に記載のウェットスーツにあっては、前記ウェットスーツの所定の部位は、外側の表面側布材部に内側の表面側布材部よりも繊維密度の高い素材が配設された強化被覆材部によって形成されるので、前記所定の部位に対する外部からの摩擦や衝撃によって、ウェットスーツが磨耗したり損傷したりするといった事態を効果的に防止することができる。
その結果、従来のウェットスーツにあっては、堅い合成樹脂やゴム薄膜により補強をしているため、補強箇所が他の部位に比べて耐久性に優れる一方で伸縮性に劣る不具合があったのに対し、請求項１〜５に記載のウェットスーツにあっては、前記所定の部位を、外側の表面側布材部に繊維密度の高い素材を配設した強化被覆材部によって構成しているので、伸縮性を確保しつつも耐久性に優れたウェットスーツを提供することができる。
またさらに、前記強化被覆材部は、ウェットスーツの一般部と同様に、基布材部と一対の表面側布材部という構成を有しているので、従来の堅い合成樹脂やゴム薄膜による補強がなされたウェットスーツに比して、外観品質の高いウェットスーツを提供することができる。
【００１４】
請求項２に記載のウェットスーツにあっては、前記強化被覆材部は、臀部相当部に設けられているので、例えば、ウェットスーツの着用者が岩場に腰掛けた場合に前記臀部相当部の外側面が摩耗したり損傷したりするといった事態を効果的に防止することができる。
【００１５】
請求項３に記載のウェットスーツにあっては、前記強化被覆材部は、肩部相当部に設けられているので、例えば、ウェットスーツの着用者が酸素ボンベを背負った場合に前記肩部相当部の外側面が摩耗したり損傷したりするといった事態を効果的に防止することができる。
【００１６】
請求項４に記載のウェットスーツにあっては、前記強化被覆材部は、一対の腕部相当部の外側において、肘部相当部から下腕部相当部に亘って設けられているので、外部の物に接触しやすい前記肘部相当部の外側面が磨耗したり損傷したりするといった事態を効果的に防止することができる。
【００１７】
請求項５に記載のウェットスーツにあっては、前記強化被覆材部は、一対の脚部相当部の正面側において、膝部相当部から足首相当部に亘って設けられているので、例えば、ウェットスーツの着用者が膝をついて作業を行なう場合に前記膝部相当部の外側面が磨耗したり損傷したりするといった事態を効果的に防止することができる。
【図面の簡単な説明】
【００１８】
【図１】図１は、本考案に係るウェットスーツの一実施の形態を示す正面図である。
【図２】図２は、本考案に係るウェットスーツの一実施の形態を示す背面図である。
【図３】図３は、本考案に係るウェットスーツの一実施の形態において、ウェットスーツを形成する被覆材の断面図である。
【図４】図４は、本考案に係るウェットスーツの他の実施の形態を示し、（ａ）は、腕部相当部を有していない袖なしで構成された形態を示す正面図、（ｂ）は、腕部相当部が半袖であって脚部相当部が半ズボンで構成された形態を示す正面図である。
【図５】図５は、本考案に係るウェットスーツの他の実施の形態を示し、（ａ）は、上半身相当部のみで構成された形態を示す正面図、（ｂ）は、下半身相当部のみで構成された形態を示す正面図、（ｃ）は、下半身相当部のみで構成され、脚部相当部が半ズボンで構成された形態を示す正面図である。
【考案を実施するための最良の形態】
【００１９】
以下、添付図面に示す実施の形態に基づき、本考案を詳細に説明する。
図１及び図２に示すように、本実施の形態に係るウェットスーツ１０は、被覆材１１により形成され、胴部相当部１２と、胴部相当部１２に連設された一対の腕部相当部１３、１３と、胴部相当部１２に連設された一対の脚部相当部１４、１４とを有している。
【００２０】
本実施の形態にあっては、被覆材１１は、一般被覆材部１１ａと強化被覆材部１１ｂとにより構成されている。
図示しないが、本実施の形態に係る一般被覆材部１１ａは、基布材部１５と基布材部１５の厚さ方向両側に配設固定された一対の表面側布材部１６、１６とを備えている。
図３に示すように、本実施の形態に係る強化被覆材部１１ｂは、基布材部１５と基布材部１５の厚さ方向両側に配設固定された表面側布材部１６、１７とを備え、外側に配設される表面側布材部１７は内側に配設される表面側布材部１６よりも繊維密度の高い素材により構成されている。
本実施の形態に係る基布材部１５は発泡性のクロロプレンゴムにより、表面側布材部１６はナイロンにより、夫々、構成されている。また、本実施の形態に係る表面側布材部１７は、５％のポリウレタン弾性繊維と、９５％のポリエステルとにより構成された素材を使用している。
図３に示すように、本実施の形態に係る強化被覆材部１１ｂにあっては、表面側布材部１６、１７が基布材部１５の厚さ方向両側に、夫々、接着固定されている。
【００２１】
図１及び図２に示すように、本実施の形態に係るウェットスーツ１０にあっては、強化被覆材部１１ｂ、１１ｂ・・・は、臀部相当部１９と、肩部相当部２０とに設けられている。
さらに、図２に示すように、本実施の形態に係るウェットスーツ１０にあっては、強化被覆材部１１ｂ、１１ｂ・・・は、一対の腕部相当部１３、１３の背面側（肘側）において、肘部相当部２１、２１から下腕部相当部２２、２２に亘って設けられている。
またさらに、図１に示すように、本実施の形態に係るウェットスーツ１０にあっては、強化被覆材部１１ｂ・・・は、一対の脚部相当部１４、１４の正面側において、膝部相当部２３、２３から足首相当部２４、２４に亘って設けられている。
【００２２】
また、図１に示すように、本実施の形態に係る胴部相当部１２の上端部には、着用者の首を挿通しうる襟部２５が設けられている。また、襟部２５の下端部からウェットスーツ１０の長さ方向略中央に亘ってスライドファスナー２６が配設され、引手２７によって胴部相当部１２の長さ方向に沿って開閉可能に設けられている。
また、図１に示すように、本実施の形態に係るウェットスーツ１０にあっては、補強布地が縫着された補強部３５、３６が、胴部相当部１２から脚部相当部１４、１４に亘って、夫々、逆Ｕ字状に設けられている。同様に、図１に示すように、補強布地が縫着された補強部３７が、肩部相当部の下端部に沿って略平行に設けられている。さらに、図２に示すように補強布地が縫着された補強部３８、３８が、臀部相当部１９から胴部相当部１２の周方向に沿って、夫々、設けられている。またさらに、図２に示すように補強布地が縫着された補強部３９、３９が、臀部相当部１９から脚部相当部１４の周方向に沿って、夫々、設けられている。
【００２３】
以上の構成を有する第一の実施の形態はワンピース型のウェットスーツとして構成されているのに対して、図４（ａ）に示す第二の実施の形態に係るウェットスーツ３０は、腕部相当部を有していない袖なしで構成されたロングジョン型のウェットスーツとして構成されている。
従って、図４（ａ）に示すように、本実施の形態に係るウェットスーツ３０にあっては、強化被覆材部１１ｂ、１１ｂ・・・は、臀部相当部１９と、肩部相当部２０とに設けられている。
またさらに、図１に示すように、本実施の形態に係るウェットスーツ１０にあっては、強化被覆材部１１ｂ、１１ｂ・・・は、一対の脚部相当部１４、１４の正面側において、膝部相当部２３、２３から足首相当部２４、２４に亘って設けられている。
他の構成は第一の実施の形態に係るウェットスーツ１０と同一である。
【００２４】
図４（ｂ）に示す第三の実施の形態に係るウェットスーツ３１は、腕部相当部１３、１３が半袖であって、脚部相当部１４、１４が半ズボンで構成されたスプリング型のウェットスーツとして構成されている。
従って、図４（ａ）に示すように、本実施の形態に係るウェットスーツ３０にあっては、強化被覆材部１１ｂ、１１ｂ・・・は、臀部相当部１９と、肩部相当部２０とに設けられている。
【００２５】
図５（ａ）に示す第四の実施の形態に係るウェットスーツ３２は、上半身相当部のみで構成されたジャケット型のウェットスーツとして構成されている。
従って、図５（ａ）に示すように、本実施の形態に係るウェットスーツ３２にあっては、強化被覆材部１１ｂ、１１ｂ・・・は、肩部相当部２０、及び、一対の腕部相当部１３、１３の背面側（肘側）において、肘部相当部２１、２１から下腕部相当部２２、２２に亘って設けられている。
【００２６】
図５（ｂ）に示す第五の実施の形態に係るウェットスーツ３３は、下半身相当部のみで構成されたボレロ型のウェットスーツとして構成されている。
従って、図５（ｂ）に示すように、本実施の形態に係るウェットスーツ３３にあっては、強化被覆材部１１ｂ、１１ｂ・・・は、臀部相当部１９、及び、一対の脚部相当部１４、１４の正面側において、膝部相当部２３、２３から足首相当部２４、２４に亘って設けられている。
【００２７】
図５（ｃ）に示す第五の実施の形態に係るウェットスーツ３４は、下半身相当部のみで構成され、脚部相当部が半ズボンで構成されたボレロ型のウェットスーツとして構成されている。
従って、図５（ｃ）に示すように、本実施の形態に係るウェットスーツ３４にあっては、強化被覆材部１１ｂは、臀部相当部１９に設けられている。
【００２８】
以下、本実施の形態に係るウェットスーツ１０の作用について説明する。
図１及び図２に示すように、本実施の形態に係るウェットスーツ１０は、一対の腕部相当部１３、１３に着用者の腕を、一対の脚部相当部１４、１４に着用者の脚を、夫々、通し、スライドファスナー２６の引手２７を襟部２５まで引き上げることによって着用することができる。
この際、本実施の形態に係るウェットスーツ１０にあっては、強化被覆材部１１ｂ、１１ｂ・・・は、外側の表面側布材部１７に内側の表面側布材部１６よりも繊維密度の高い素材が配設されているので、強化被覆材部１１ｂ、１１ｂ・・・に対する外部からの摩擦や衝撃によって、ウェットスーツが磨耗したり損傷したりするといった事態を効果的に防止することができる。
その結果、従来のウェットスーツにあっては、堅い合成樹脂やゴム薄膜により補強をしているため、補強箇所が他の部位に比べて耐久性に優れる一方で伸縮性に劣る不具合があったのに対し、本実施の形態に係るウェットスーツ１０にあっては、強化被覆材部１１ｂ、１１ｂ・・・を、外側の表面側布材部１７に繊維密度の高い素材を配設することによって構成しているので、伸縮性を確保しつつも耐久性に優れたウェットスーツを提供することができる。
またさらに、本実施の形態に係る強化被覆材部１１ｂ、１１ｂ・・・は、ウェットスーツ１０の一般被覆材部１１ａ、１１ａ・・・と同様に、基布材部１５と一対の表面側布材部１６、１７という構成を有しているので、従来の堅い合成樹脂やゴム薄膜による補強がなされたウェットスーツに比して、外観品質の高いウェットスーツを提供することができる。
【００２９】
図示しないが、本考案の他の実施の形態に係るウェットスーツ３０、３１、３２、３３、３４についても、ウェットスーツ１０と同様に着用することができる。その結果、ウェットスーツ３０、３１、３２、３３、３４においても、ウェットスーツ１０と同様の構成を有する強化被覆材部１１ｂ、１１ｂ・・・が設けられているので、ウェットスーツ１０と同様の効果を奏する。
【００３０】
また、図１、図２、図４及び図５に示すように、本実施の形態に係るウェットスーツ１０、３０、３１、３３、３４にあっては、強化被覆材部１１ｂ、１１ｂ・・・は、臀部相当部１９に設けられているので、例えば、ウェットスーツ１０の着用者が岩場に腰掛けた場合に臀部相当部１９の外側面が摩耗したり損傷したりするといった事態を効果的に防止することができる。
【００３１】
また、図１、図２、図４及び図５に示すように、本実施の形態に係るウェットスーツ１０、３０、３１、３２にあっては、強化被覆材部１１ｂ、１１ｂ・・・は、肩部相当部２０に設けられているので、例えば、ウェットスーツの着用者が酸素ボンベを背負った場合に肩部相当部２０の外側面が摩耗したり損傷したりするといった事態を効果的に防止することができる。
【００３２】
また、図１、図２、図４及び図５に示すように、本実施の形態に係るウェットスーツ１０、３２にあっては、強化被覆材部１１ｂ、１１ｂ・・・は、一対の腕部相当部１３、１３の背面側（肘側）において、肘部相当部２１、２１から下腕部相当部２２、２２に亘って設けられているので、外部の物に接触しやすい肘部相当部２１、２１の外側面が磨耗したり損傷したりするといった事態を効果的に防止することができる。
【００３３】
また、図１、図２、図４及び図５に示すように、本実施の形態に係るウェットスーツ１０、３０、３３にあっては、強化被覆材部１１ｂ、１１ｂ・・・は、一対の脚部相当部１４、１４の正面側において、膝部相当部２３、２３から足首相当部２４、２４に亘って設けられているので、例えば、ウェットスーツの着用者が膝をついて作業を行なう場合に膝部相当部２３、２３の外側面が磨耗したり損傷したりするといった事態を効果的に防止することができる。
【００３４】
本実施の形態に係るウェットスーツ１０にあっては、基布材部１５は発泡性のクロロプレンゴムにより、表面側布材部１６はナイロンにより、夫々、構成されている。また、本実施の形態に係る表面側布材部１７は、５％のポリウレタン弾性繊維と、９５％のポリエステルとにより構成された素材を使用している場合を例に説明したが、前記構成に限定されず、外側に配設される表面側布材部１７は内側に配設される表面側布材部１６よりも繊維密度の高い素材により構成されていればよい。
【産業上の利用可能性】
【００３５】
本考案は、ウェットスーツに広く適用可能であり、産業上利用可能性を有している。
【符号の説明】
【００３６】
１０、３０、３１、３２、３３、３４：ウェットスーツ
１１：被覆材
１１ａ：一般被覆材部
１１ｂ：強化被覆材部
１２：胴部相当部
１３：腕部相当部
１４：脚部相当部
１５：基布材部
１６、１７：表面側布材部
１９：臀部相当部
２０：肩部相当部
２１：肘部相当部
２２：下腕部相当部
２３：膝部相当部
２４：足首相当部
２５：襟部
２６：スライドファスナー
２７：引手
３５、３６、３７、３８、３９：補強部
【図１】
0003202710.tif 000003
【図２】
0003202710.tif 000004
【図３】
0003202710.tif 000005
【図４】
0003202710.tif 000006
【図５】
0003202710.tif 000007